【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
ネットワークパスワードでセキュアにされたネットワークアクセスポイントを通してワイヤレスネットワークへのアクセスを提供する方法であって、前記方法は、
前記ネットワークアクセスポイント上でゲストデバイスに前記ワイヤレスネットワークへのアクセスを提供するようにとの要求を受信することと、
前記ネットワークアクセスポイント上で前記ゲストデバイスにアクセスを提供するようにとの前記要求を受信することに応答して、前記ゲストデバイスに前記ワイヤレスネットワークへのアクセスを提供するために仮想アクセスポイントを確立することと、
前記ゲストデバイス専用であり、前記ゲストデバイスの一意のデバイス識別子に関連する前記ゲストデバイスのための仮想アクセスポイントパスワードを確立することと、ここにおいて、前記仮想アクセスポイントパスワードが前記ネットワークパスワードとは異なる、
入力されたパスワードが前記仮想アクセスポイントパスワードに一致し、前記ゲストデバイスのゲストデバイス識別子が、前記仮想アクセスポイントパスワードに関連する前記ゲストデバイスの前記一意のデバイス識別子に一致するとき、前記ゲストデバイスに前記ネットワークへのアクセスを提供することと
を備える、方法。
【請求項２】
前記ゲストデバイスの前記一意のデバイス識別子が前記ゲストデバイスの媒体アクセス制御（ＭＡＣ）アドレスを含む、または、
仮想アクセスポイントを確立することは、
利用可能な仮想アクセスポイントの限界に達したかどうかを決定することと、
利用可能な仮想アクセスポイントの限界に達していないと決定することに応答して、仮想アクセスポイント識別子を用いて前記仮想アクセスポイントを確立することと
を備える、請求項１に記載の方法。
【請求項３】
前記受信された要求が、前記ゲストデバイスに関連する情報を含み、
前記ゲストデバイスのための仮想アクセスポイントパスワードを確立することが、前記ゲストデバイスに関連する前記情報に基づいて前記ゲストデバイスの仮想識別子に関連する前記ゲストデバイスのための前記仮想アクセスポイントパスワードを確立することを備え、
前記ゲストデバイスに前記ネットワークへのアクセスを提供することは、入力されたパスワードが前記仮想アクセスポイントパスワードに一致し、前記ゲストデバイスに関連する前記情報が、前記仮想アクセスポイントパスワードに関連する前記ゲストデバイスの前記仮想識別子に一致するとき、第１のアクセス試行中に前記ネットワークへのアクセスを提供することを備える、請求項１に記載の方法。
【請求項４】
前記ゲストデバイスの前記仮想識別子に関連する前記ゲストデバイスのための仮想アクセスポイントパスワードを確立することは、
アクセスがそれについて要求されていない第２のゲストデバイスからパスワードを前記ネットワークアクセスポイントにおいて受信することと、アクセス試行において前記第２のゲストデバイスに関連する情報を取得することと、
前記第２のゲストデバイスから受信された前記受信されたパスワードが、前記ネットワークアクセスポイントの前記ネットワークパスワードと前記仮想アクセスポイントパスワードとのうちの１つに一致するかどうかを決定することと、
前記第２のゲストデバイスから受信された前記パスワードが前記ネットワークアクセスポイントの前記ネットワークパスワードまたは前記仮想アクセスポイントパスワードのうちの１つに一致しないと認識することに応答して、第２のゲストデバイスアクセス試行に関して前記ネットワークの管理者に通知することと、
前記第２のゲストデバイスに前記ネットワークへのアクセスを提供するように前記ネットワークアクセスポイントに要求する前記ネットワーク管理者からのメッセージを前記ネットワークアクセスポイントにおいて受信することと、
前記第２のゲストデバイス専用であり、前記第２のゲストデバイスに関連する前記情報に基づいて前記第２のゲストデバイスの第２の仮想識別子に関連する前記第２のゲストデバイスのための第２の仮想アクセスポイントパスワードを確立することと、ここにおいて、前記第２の仮想アクセスポイントパスワードが前記ネットワークパスワードとは異なり、および第１の仮想アクセスポイントパスワードとは異なる、
前記第２のゲストデバイスの前記第２の仮想識別子を含むデータレコード中に前記第２のゲストデバイスのための前記確立された第２の仮想アクセスポイントパスワードを記憶することと
を備える、請求項３に記載の方法。
【請求項５】
前記仮想アクセスポイントに関連する仮想アクセスポイント識別子を確立することと、
前記ゲストデバイスに前記仮想アクセスポイント識別子および前記仮想アクセスポイントパスワードを提供することと、
前記仮想アクセスポイントにとってアクセス可能なデータベース中に前記仮想アクセスポイント識別子および前記仮想アクセスポイントパスワードを記憶することと、
前記仮想アクセスポイント識別子および前記仮想アクセスポイントパスワードを使用して前記ゲストデバイスによって前記第１のアクセス試行中に前記ゲストデバイスの前記一意のデバイス識別子を取得することと、
前記仮想アクセスポイントにとってアクセス可能な前記データベース中に前記仮想アクセスポイント識別子および前記仮想アクセスポイントパスワードに関連して前記ゲストデバイスの前記一意のデバイス識別子を記憶することと
をさらに備え、
ここにおいて、前記一意の識別子が取得されたとき、前記ゲストデバイスに前記ネットワークへのアクセスを提供することは、前記ゲストデバイスが前記仮想アクセスポイント識別子を使用して前記仮想アクセスポイントにアクセスするとき、入力されたパスワードが前記仮想アクセスポイントパスワードに一致するとき、および前記ゲストデバイスのゲストデバイス識別子が、前記仮想アクセスポイントパスワードに関連して記憶された前記ゲストデバイスの前記一意のデバイス識別子に一致するとき、後続のアクセス試行において前記ゲストデバイスに前記ネットワークへのアクセスを提供することを備える、請求項３に記載の方法。
【請求項６】
前記ネットワークアクセスポイント上で前記ゲストデバイスにアクセスを提供するようにとの前記要求を受信することに応答して、前記ゲストデバイスに前記ワイヤレスネットワークへのアクセスを提供するために仮想アクセスポイントを確立することは、
前記第１のアクセス試行中に、前記ゲストデバイスに関連する前記情報が前記ゲストデバイスの前記仮想識別子に一致するとき、前記仮想アクセスポイントを確立することと、
前記第１のアクセス試行の後の後続のアクセス試行中に、前記ゲストデバイス識別子が、前記仮想アクセスポイントパスワードに関連して記憶された前記ゲストデバイスの前記一意のデバイス識別子に一致するとき、前記仮想アクセスポイントを確立することと
を備える、請求項５に記載の方法。
【請求項７】
仮想アクセスポイントを確立することが、前記ゲストデバイスのための前記ワイヤレスネットワークへのアクセスに制限を確立することを備え、
入力されたパスワードが前記仮想アクセスポイントパスワードに一致し、前記ゲストデバイス識別子が、前記仮想アクセスポイントパスワードに関連して記憶された前記ゲストデバイスの前記一意のデバイス識別子に一致するとき、後続のアクセス試行において前記ゲストデバイスに前記ネットワークへのアクセスを提供することは、入力されたパスワードが前記仮想アクセスポイントパスワードに一致し、前記ゲストデバイス識別子が、前記仮想アクセスポイントパスワードに関連して記憶された前記ゲストデバイスの前記一意のデバイス識別子に一致するとき、前記制限を受ける前記ネットワークへのアクセスを前記ゲストデバイスに提供することを備える、請求項５に記載の方法。
【請求項８】
ネットワークパスワードでセキュアにされたネットワークアクセスポイントを通してワイヤレスネットワークへのアクセスを提供するための装置であって、前記装置は、
前記ネットワークアクセスポイント上でゲストデバイスに前記ワイヤレスネットワークへのアクセスを提供するようにとの要求を受信するための手段と、
前記ネットワークアクセスポイント上で前記ゲストデバイスにアクセスを提供するようにとの前記要求を受信することに応答して、前記ゲストデバイスに前記ワイヤレスネットワークへのアクセスを提供するために仮想アクセスポイントを確立するための手段と、
前記ゲストデバイス専用であり、前記ゲストデバイスの一意のデバイス識別子に関連する前記ゲストデバイスのための仮想アクセスポイントパスワードを確立するための手段と、ここにおいて、前記仮想アクセスポイントパスワードが前記ネットワークパスワードとは異なる、
入力されたパスワードが前記仮想アクセスポイントパスワードに一致し、ゲストデバイス識別子が、前記仮想アクセスポイントパスワードに関連する前記ゲストデバイスの前記一意のデバイス識別子に一致するとき、前記ゲストデバイスに前記ネットワークへのアクセスを提供するための手段と
を備える、装置。
【請求項９】
仮想アクセスポイントを確立するための手段は、
利用可能な仮想アクセスポイントの限界に達したかどうかを決定するための手段と、
利用可能な仮想アクセスポイントの限界に達していないと決定することに応答して、仮想アクセスポイント識別子を用いて前記仮想アクセスポイントを確立するための手段と
を備える、請求項８に記載の装置。
【請求項１０】
前記受信された要求が、前記ゲストデバイスに関連する情報を含み、
前記ゲストデバイスのための仮想アクセスポイントパスワードを確立するための手段が、前記ゲストデバイスに関連する前記情報に基づいて前記ゲストデバイスの仮想識別子に関連する前記ゲストデバイスのための前記仮想アクセスポイントパスワードを確立するための手段を備え、
前記ゲストデバイスに前記ネットワークへのアクセスを提供するための手段は、入力されたパスワードが前記仮想アクセスポイントパスワードに一致し、前記ゲストデバイスに関連する前記情報が、前記仮想アクセスポイントパスワードに関連する前記ゲストデバイスの前記仮想識別子に一致するとき、第１のアクセス試行中に前記ネットワークへのアクセスを提供するための手段を備える、請求項８に記載の装置。
【請求項１１】
前記ゲストデバイスの仮想識別子に関連する前記ゲストデバイスのための仮想アクセスポイントパスワードを確立するための手段は、
アクセスがそれについて要求されていない第２のゲストデバイスからパスワードを前記ネットワークアクセスポイントにおいて受信するための手段と、アクセス試行において前記第２のゲストデバイスに関連する情報を取得するための手段と、
前記第２のゲストデバイスから受信された前記受信されたパスワードが、前記ネットワークアクセスポイントの前記ネットワークパスワードと前記仮想アクセスポイントパスワードとのうちの１つに一致するかどうかを決定するための手段と、
前記第２のゲストデバイスから受信された前記パスワードが前記ネットワークアクセスポイントの前記ネットワークパスワードまたは前記仮想アクセスポイントパスワードのうちの前記１つに一致しないと認識することに応答して、第２のゲストデバイスアクセス試行に関して前記ネットワークの管理者に通知するための手段と、
前記第２のゲストデバイスに前記ネットワークへのアクセスを提供するように前記ネットワークアクセスポイントに要求する前記ネットワーク管理者からのメッセージを前記ネットワークアクセスポイントにおいて受信するための手段と、
前記第２のゲストデバイスに関連する前記情報に基づいて前記第２のゲストデバイス専用である第２の仮想アクセスポイントパスワードを確立するための手段と、ここにおいて、前記第２の仮想アクセスポイントパスワードが前記ネットワークパスワードとは異なり、および第１の仮想アクセスポイントパスワードとは異なる、
前記第２のゲストデバイスの第２の仮想識別子を含むデータレコード中に前記第２のゲストデバイスのための前記確立された第２の仮想アクセスポイントパスワードを記憶するための手段と
を備える、請求項１０に記載の装置。
【請求項１２】
前記仮想アクセスポイントに関連する仮想アクセスポイント識別子を確立するための手段と、
前記ゲストデバイスに前記仮想アクセスポイント識別子および前記仮想アクセスポイントパスワードを提供するための手段と、
前記仮想アクセスポイントにとってアクセス可能なデータベース中に前記仮想アクセスポイント識別子および前記仮想アクセスポイントパスワードを記憶するための手段と、
前記仮想アクセスポイント識別子および前記仮想アクセスポイントパスワードを使用して前記ゲストデバイスによって前記第１のアクセス試行中に前記ゲストデバイスの一意のデバイス識別子を取得するための手段と、
前記仮想アクセスポイントにとってアクセス可能な前記データベース中に前記仮想アクセスポイント識別子および前記仮想アクセスポイントパスワードに関連して前記ゲストデバイスの前記一意のデバイス識別子を記憶するための手段と
をさらに備え、
ここにおいて、前記ゲストデバイスに前記ネットワークへのアクセスを提供するための手段は、前記ゲストデバイスが前記仮想アクセスポイント識別子を使用して前記仮想アクセスポイントにアクセスするとき、入力されたパスワードが前記仮想アクセスポイントパスワードに一致するとき、およびゲストデバイス識別子が、前記仮想アクセスポイントパスワードに関連して記憶された前記ゲストデバイスの前記一意のデバイス識別子に一致するとき、前記ゲストデバイスに前記ネットワークへのアクセスを提供する手段を備える、請求項１０に記載の装置。
【請求項１３】
ワイヤレスネットワークアクセスポイントへのアクセスを提供するようにとの前記要求を受信することに応答して、前記ゲストデバイスに前記ワイヤレスネットワークへのアクセスを提供するために仮想アクセスポイントを確立するための手段は、
前記第１のアクセス試行中に、前記ゲストデバイスに関連する前記情報が前記ゲストデバイスの前記仮想識別子に一致するとき、前記仮想アクセスポイントを確立するための手段と、
前記第１のアクセス試行の後の後続のアクセス試行中に、前記ゲストデバイス識別子が、前記仮想アクセスポイントパスワードに関連して記憶された前記ゲストデバイスの前記一意のデバイス識別子に一致するとき、前記仮想アクセスポイントを確立するための手段と
を備える、請求項１２に記載の装置。
【請求項１４】
仮想アクセスポイントを確立するための手段が、前記ゲストデバイスのための前記ワイヤレスネットワークへのアクセスに制限を確立するための手段を備え、
入力されたパスワードが前記仮想アクセスポイントパスワードに一致し、前記ゲストデバイス識別子が、前記仮想アクセスポイントパスワードに関連して記憶された前記ゲストデバイスの前記一意の識別子に一致するとき、後続のアクセス試行において前記ゲストデバイスに前記ネットワークへのアクセスを提供するための手段は、入力されたパスワードが前記仮想アクセスポイントパスワードに一致し、前記ゲストデバイス識別子が、前記仮想アクセスポイントパスワードに関連して記憶された前記ゲストデバイスの前記一意のデバイス識別子に一致するとき、前記制限を受ける前記ネットワークへのアクセスを前記ゲストデバイスに提供するための手段を備える、請求項１２に記載の装置。
【請求項１５】
請求項１ないし７のいずれかによる動作をプロセッサに実行させるように構成されたプロセッサ実行可能命令を記憶した非一時的コンピュータ可読媒体。